(57)【特許請求の範囲】
【請求項１】
内径１〜２mmのＲＩ溶液保持用細管と、当該ＲＩ溶液保持用細管を挿脱自在に収納する凹所を備えた造影剤封入体と、当該造影剤封入体の凹所の開口部を着脱自在に閉止し、かつ当該ＲＩ溶液保持用細管を挿置せしめた状態で造影剤封入体の凹所に収納する突出部を備えている蓋体とから成ることを特徴とする医用画像診断装置用マーカー。
【請求項２】
前記蓋体又は／及び造影剤封入体と着脱自在に嵌合する人体装着用枠体を更に備えていることを特徴とする請求項１記載の医用画像診断装置用マーカー。
【請求項３】
前記造影剤封入体が、耳穴装着用突出部を備えていることを特徴とする請求項１記載の医用画像診断装置用マーカー。
【発明の詳細な説明】
【技術分野】
【０００１】
本発明は、医用画像診断装置用マーカー、更に詳細にはＸ線ＣＴ（Ｘ線コンピューター断層撮影装置）、ＭＲＩ（磁気共鳴映像装置）、ＳＰＥＣＴ（単光子放出断層撮影装置）、ＰＥＴ（ポジトロン断層撮影装置）等の医用画像診断装置によって得られる複数の画像の位置合せに用いられるマーカーに関する。
【背景技術】
【０００２】
医療現場における各種の診断や判定の際には、異なる医用画像診断装置によって得られた複数の画像を、コンピューター処理により重ね合せ表示せしめることで、病変組織の位置や機能状態を的確に診断することが日常的に行なわれている。
この重ね合せを容易にするために、各画像に位置合せ用の特徴点を付与する手段として、撮像の際に予め人体に装着して使用されるのがマーカーである。
【０００３】
而して、従来斯かるマーカーは、医用画像診断装置によって検知され得る物質、例えばＸ線ＣＴ及びＭＲＩの場合には造影剤を、ＳＰＥＣＴ及びＰＥＴの場合にはＲＩ（放射性同位元素）を、それぞれ容器体に封入せしめて構成されていた（特許文献１参照）。
【０００４】
しかしながら、従来のマーカーは、通常容器体毎に造影剤やＲＩ等の異なる検知物質を封入するものであったため、異なる医用画像診断装置に対応するためには複数のマーカーを用意しなければならない、と云う問題があった。
【０００５】
また、一つの容器体に造影剤とＲＩを一緒に封入した場合には、異なる医用画像診断装置に対応はし得るものの、当該マーカーにはＲＩが封入されているために、人体に装着した状態では放射線被曝による人体への影響や放射能汚染の恐れがあることから移動できず、その結果Ｘ線ＣＴやＭＲＩがＲＩ管理区域外にある場合には、一旦マーカーを人体から取り外さざるを得ず、自ずと画像の位置合せ精度の低下を免れない、と云う問題があった。
また、ＲＩが封入されているため、当該マーカーは、容器体を含め全体が再使用不能となり、廃棄せざるを得ないのが実状であった。
【０００６】
また、従来のＲＩが封入される容器体はかなりの容積を有するものであったため、ピンポイント的に特徴点を付与し得ず、高い精度が要求される頭部には使用できないのが実状であった。
【特許文献１】特開２００４−２４５８２号公報
【発明の開示】
【発明が解決しようとする課題】
【０００７】
本発明は、上記の如き従来の問題と実状に鑑みてなされたもので、取り外すことなく装着したまま異なる医用画像診断装置に兼用でき、しかも実質的に再使用可能であると共に、ピンポイント的に特徴点を付与することができる医用画像診断装置用マーカーを提供することを課題としている。
【課題を解決するための手段】
【０００８】
本発明者は、上記課題を解決するために種々検討を重ねた結果、ＲＩ溶液を細管に保持せしめて造影剤封入体と着脱自在に一体化すれば、極めて良い結果が得られることを見い出し、本発明を完成した。
【０００９】
すなわち、本発明は、内径１〜２mmのＲＩ溶液保持用細管と、当該ＲＩ溶液保持用細管を挿脱自在に収納する凹所を備えた造影剤封入体と、当該造影剤封入体の凹所の開口部を着脱自在に閉止し、かつ当該ＲＩ溶液保持用細管を挿置せしめた状態で造影剤封入体の凹所に収納する突出部を備えている蓋体とから成ることを特徴とする医用画像診断装置用マーカーにより上記課題を解決したものである。
【発明の効果】
【００１０】
本発明の医用画像診断装置用マーカーは、予め造影剤が封入されていると共に、ＲＩ溶液保持用細管を備えているので、造影剤タイプの医用画像診断装置用マーカーとＲＩ溶液タイプの医用画像診断装置用マーカーの何れにも対応できる。換言すれば、一つのマーカーで造影剤タイプの医用画像診断装置とＲＩ溶液タイプの医用画像診断装置に兼用することができる。
【００１１】
しかも、本発明の医用画像診断装置用マーカーは、撮像時に細管に保持されるＲＩ溶液が極めて微量（数μＬ程度）であるため、ピンポイント的に特徴点を付与することができると共に、実質上放射線被爆や放射能汚染の恐れがない結果、取り外すことなく装着したまま異なる医用画像診断装置に兼用できるので、取扱と位置合せ精度に優れた画像を得ることができる。
【００１２】
更に、本発明の医用画像診断装置用マーカーは、上記の如く、保持されているＲＩ溶液が微量であるため、当該ＲＩ溶液を保持した細管のみを廃棄すれば良く、他の造影剤封入体や蓋体は再使用することができる。
【発明を実施するための最良の形態】
【００１３】
以下本発明の実施の形態を図面と共に説明する。
【００１４】
図１は、本発明の医用画像診断装置用マーカーの第１の実施の形態を示す分離断面説明図である。
【００１５】
当該図１において、１０は造影剤封入体で、例えば外径１０mm程度の円筒状本体１１の中央部に、ＲＩ溶液保持用細管２０を挿脱自在に収納する、例えば内径３mm程度の凹所１２が形設されていると共に、当該円筒状本体１１と凹所１２によって区画形成された容部に、医用画像診断装置によって検知され得る造影剤１０ａが予め封入されている。ここに円筒状本体１１の材質としてはプラスチックが、また造影剤としてはヨード造影剤、ガドリニウム含有水溶液、クエン酸鉄アンモニウム水溶液、塩化ニッケル水溶液、硫酸銅水溶液などや、また、ゴマ油などの食用油が鮮明な画像を得る上で好適に使用される。
【００１６】
造影剤封入体１０の凹所１２に挿脱自在に収納されるＲＩ溶液保持用細管２０は、毛細管現象によりＲＩ溶液２０ａを保持し得るものが、撮像時における細管内への導入保持が容易であると共に、保持されるＲＩ溶液が微量となり、従ってまたピンポイント的に特徴点を付与し得る上で好ましく、例えば内径１〜２mmの理化学実験用キャピラリーが好適に使用される。
【００１７】
３０は、造影剤封入体１０に着脱自在に取り付けられる蓋体で、その取り付け時にはＲＩ溶液保持用細管２０を収納した造影剤封入体１０の凹所１２の開口部を閉止することにより、ＲＩ溶液保持用細管２０の脱落を防止している。他方、撮像後においては、当該蓋体３０を取り外すことにより、ＲＩ溶液保持用細管２０は造影剤封入体１０から離脱廃棄される。尚、造影剤封入体１０と蓋体３０の着脱方式は、その具体的手段の如何を問わないが、例えば螺合方式、弾性嵌合方式等が挙げられる。また、蓋体３０の材質としてもプラスチックが好適に使用される。
【００１８】
図２は、本発明の医用画像診断装置用マーカーの第２の実施の形態を示す分離断面説明図である。
【００１９】
当該図２に示される医用画像診断装置用マーカーは、ＲＩ溶液保持用細管２０を、蓋体３０に挿置せしめた状態で造影剤封入体１０の凹所１２に収納する構造となっている点で、ＲＩ溶液保持用細管２０を造影剤封入体１０の凹所に直接収納する図１に示される医用画像診断装置用マーカーと異なっている。
【００２０】
すなわち、当該図２に示される蓋体３０には造影剤封入体１０の凹所１２に挿脱自在の突出部３１が形設されていると共に、当該突出部３１にはＲＩ溶液保持用細管２０を挿脱自在に収納する凹所３２が形設され、斯かる構造を採ることにより、当該凹所３２にＲＩ溶液保持用細管２０が挿置された状態で造影剤封入体１０の凹所１２に収納されるようになっている。
【００２１】
図３は、本発明の医用画像診断装置用マーカーの第３の実施の形態を示す分離断面説明図である。
【００２２】
当該図３に示される医用画像診断装置用マーカーは、図１や図２に示される医用画像診断装置用マーカーの蓋体３０又は／及び造影剤封入体１０と着脱自在に嵌合する人体装着用枠体４０を更に備えているものである。
【００２３】
すなわち、当該図３に示される人体装着用枠体４０は、蓋体３０や造影剤封入体１０と着脱自在に嵌合する嵌合穴４２とその周囲に形設された適宜数の突出片４１により構成され、マーカーを嵌合穴４２に嵌合せしめた状態で、当該突出片４１を医療用粘着テープ等で固定せしめることにより、人体の目的とする部位にマーカーを装着せしめて撮像し得るようになっている。
【００２４】
図４は、本発明の医用画像診断装置用マーカーの第４の実施の形態を示す造影剤封入体の正面説明図である。
【００２５】
当該図４に示される医用画像診断装置用マーカーは、図１や図２に示される医用画像診断装置用マーカーの造影剤封入体１０に、更に耳穴装着用突出部５０が形設されているものである。
【００２６】
すなわち、当該図３に示される造影剤封入体１０には、耳穴に装着せしめて撮像し得るように、耳穴装着用突出部５０が形設されている。この耳穴装着用突出部５０の大きさや形状は耳穴に挿脱可能なものであれば特に限定されない。
【図面の簡単な説明】
【００２７】
【図１】本発明の医用画像診断装置用マーカーの第１の実施の形態を示す分離断面説明図。
【図２】本発明の医用画像診断装置用マーカーの第２の実施の形態を示す分離断面説明図。
【図３】本発明の医用画像診断装置用マーカーの第３の実施の形態を示す分離断面説明図。
【図４】本発明の医用画像診断装置用マーカーの第４の実施の形態を示す造影剤封入体の正面説明図。
【符号の説明】
【００２８】
１０：造影剤封入体
１０ａ：造影剤
１１：円筒状本体
１２：凹所
２０：ＲＩ溶液保持用細管
２０ａ：ＲＩ溶液
３０：蓋体
３１：突出部
３２：凹所
４０：人体装着用枠体
４１：突出片
４２：嵌合穴
５０：耳穴装着用突出部
【図１】
0004751218.tif 000002
【図２】
0004751218.tif 000003
【図３】
0004751218.tif 000004
【図４】
0004751218.tif 000005